(57)【要約】【課題】複数の半導体光源を有する照明装置を低コストで改善すること。【解決手段】支持体上に配置された複数の半導体光源を有する照明装置において、前記光源の光は割り当てられたライトガイドに前記支持体の法平面に対して所定の角度で入力結合し、前記ライトガイドは、光射出面の包絡面が曲面セグメントを形成するように、反射面及び光射出面を備えているように構成する。【選択図】図４
2006190684.tif 000002
【特許請求の範囲】
【請求項１】
支持体上に配置された複数の半導体光源を有する照明装置において、
前記光源の光は割り当てられたライトガイドの中へ前記支持体の法平面に対して所定の角度で入力結合され、前記ライトガイドは反射面と光射出面を備えており、該光射出面の包絡面が曲面セグメントを形成している、ことを特徴とする照明装置。
【請求項２】
前記支持体は平らな基板である、請求項１記載の装置。
【請求項３】
前記半導体光源の制御部が前記支持体上に配置されている、請求項１又は２記載の装置。
【請求項４】
前記光射出面の包絡面は光射出方向に関して外に向かって曲がった曲面セグメントである、請求項１から３のいずれか１項記載の装置。
【請求項５】
前記装置は、透明なカバーとともにハウジングを形成するトレーの中に配置されている、請求項１から４のいずれか１項記載の装置。
【請求項６】
前記装置はハウジング内へ取り付けられた後にキャスト又は封止される、請求項１から５のいずれか１項記載の装置。
【請求項７】
前記装置内にはマルチＬＥＤ又は多色ＬＥＤが配置されている、請求項１から６のいずれか１項記載の装置。
【請求項８】
さまざまな色の光源の光がライトガイド内で混合される、請求項１から７のいずれか１項記載の装置。
【請求項９】
前記装置は、点滅又は回転効果を生じさせる半導体光源の制御部を有している、請求項１から８のいずれか１項記載の装置。
【請求項１０】
前記ライトガイドのうちの１つの光入力結合面に対してコリメート光学系が割り当てられている、請求項１から９のいずれか１項記載の装置。
【請求項１１】
前記コリメート光学系は前記ライトガイドと一体に形成されている、請求項１０記載の装置。
【請求項１２】
光射出面の全体にわたって均一な光射出を生じさせるための反射面が配置されている、請求項１から１１のいずれか１項記載の装置。
【請求項１３】
ライトガイド内へ入力結合された光の一部が、光入射方向に関して入力結合面と向き合う出力結合面により出力結合される、請求項１から１２のいずれか１項記載の装置。
【請求項１４】
点滅効果を得るために、前記半導体光源は調節可能な周波数で制御される、請求項１から１３のいずれか１項記載の装置。
【請求項１５】
回転効果を得るために、前記半導体光源は調節可能な周波数で制御される、請求項１から１４のいずれか１項記載の装置。
【請求項１６】
前記ライトガイドは波長を変換する材料を含んでいる、請求項１から１５のいずれか１項記載の装置。
【請求項１７】
請求項１から１５のいずれか１項記載の照明装置を備えた信号ランプ。
【発明の詳細な説明】
【技術分野】
【０００１】
本発明は、支持体上に配置された複数の半導体光源を有する照明装置に関する。
【背景技術】
【０００２】
従来、特に信号ランプ用の照明装置は実にさまざまな方法で実現されてきた。いままでは、車両の屋根にある青色ライト又はオレンジ色ライトなどの回転効果のために、主にモータによって回転する反射器を備えた従来どおりの電球が使用されてきた。この場合、反射器はビーム形成のために使用される。このような装置は高価であり、しかも故障もし易い。
【０００３】
現在では、光を発生させるために発光ダイオード（ＬＥＤ）を使用する点滅及び回転効果を持った信号ランプのためのさまざまな解決手段が存在している。
【０００４】
特許文献１からは、例えば、ＬＥＤベースの信号ランプが公知である。この信号ランプでは、ＬＥＤは基板上に配置されており、基板自体は発光体に対して環状に配置されている。このようなＬＥＤを備えた信号ランプの利点は、回転効果のために照明装置の部材の機械的な回転を要さずに、個々の発光ダイオードを電子的に制御することにより回転及び点滅効果が得られることにある。発光ダイオードを使用することの別の利点は、動作寿命が長いこととメンテナンスの必要があまりないことにある。
【０００５】
特許文献２には、発光ダイオードを曲面上に取り付ける構成が記載されている。
【０００６】
曲面上に発光ダイオードを配置した場合、平らな基板向けに設計されている従来使用されてきた標準的な実装技術に頼ることはできない。曲面に平らな基板を配置する場合には、コストのかかる個々の基板の配線が必要とされる。そのため、より多くの労作が伴い、より高いコストが発生する。
【特許文献１】ＷＯ  ０２／０６６８８０  Ａ１
【特許文献２】ＵＳ  ５，８０６，９６５
【発明の開示】
【発明が解決しようとする課題】
【０００７】
本発明の課題は、とりわけ、低いコストで改善を可能にする冒頭に述べた形式の照明装置を適用することである。
【課題を解決するための手段】
【０００８】
上記課題は、支持体上に配置された複数の半導体光源を有する照明装置において、前記光源の光は割り当てられたライトガイドに前記支持体の法平面に対して所定の角度で入力結合され、前記ライトガイドは反射面と光射出面を備えており、該光射出面の包絡面が曲面セグメントを形成しているように構成することにより解決される。本発明の有利な発展形態は従属請求項の対象である。
【発明を実施するための最良の形態】
【０００９】
本発明によれば、発光ダイオード（ＬＥＤ）、有機ＬＥＤ、又はレーザのような複数の半導体光源が、有利には平らな支持体の上に配置される。この半導体光源には、オンボード技術によって基板上に配置された発光チップも、可視スペクトル外に放射する半導体構造を含めたすべての種類の発光半導体構造も含まれる。しかし、信号ランプにとっては、直接見ることのできる光を放射する半導体光源が特に有利である。
【００１０】
ＬＥＤは半導体光源として特に適している。有利には、ＬＥＤはＩＩＩ−Ｖ族化合半導体材料をベースとした半導体チップを有する。ＩＩＩ−Ｖ族化合半導体材料により、特に可視スペクトル領域で、光を特に効率的に発生させることができる。
【００１１】
半導体光源の支持体上への配置、特に、例えば基板のような、すべての半導体光源に共通の平らな支持体上への配置は、従来の標準的な取付けプロセスによって行うことができる。有利には、表面実装可能な（ＳＭＤ：Ｓｕｒｆａｃｅ  Ｍｏｕｎｔａｂｌｅ  Ｄｅｖｉｃｅ）ＬＥＤ素子は特に簡単かつ省スペースで支持体上に配置することができる。ＳＭＤ−ＬＥＤ素子は照明装置のコンパクトな実現を容易にする。
【００１２】
半導体光源の光は偏向光学系の中へ入力結合する。偏向光学系は偏向機能の他にライトガイド機能も同時に果たす（偏向ライトガイド）。ここで、偏向光学系は、偏向ライトガイドとして、半導体光源から入力結合した光を偏向光学系の光出力結合面上に有利には広範囲にわたって一様に分布させる。偏向光学系により、光は所望の放射方向に出力結合され、放射される。これは特に支持体に対して所定の角度を有する方向に、例えば支持体に対して平行な方向に行われる。有利には、それぞれ１つの半導体光源に、１つの、有利には正確に１つの、偏向光学系が割り当てられる。これにより、個々の光源で発生した光を所定の方向に精確に偏向させることが容易になる。
【００１３】
偏向光学系は、有利には、光出力結合面の方向に光を偏向させるように形成された反射器を有している。有利には、反射器は直接、光出力結合面へ光を偏向させる。この光出力結合面は、有利には、偏向光学系の表面によって形成される。
【００１４】
反射器及び偏向ライトガイドの光出力結合面の配置と形態は、装置の光放出を、特に放射特性を決定する。複数の有利には離散した偏向ライトガイドを使用することにより、有利には、照明装置の周囲３６０°までの光放射を達成することができる。個々の半導体光源の適切な制御を介して、照明装置によって点滅又は回転効果を生じさせることができる。
【００１５】
反射器は有利には偏向光学系上に形成又は配置された反射面である。有利には、反射面は偏向光学系の、とりわけライドガイドの表面である。反射面は、例えば適切な構造化によって、所定の方向から、例えば半導体光源の方向から反射面に当たる光に対して全反射性の反射器構造を有するように実施することができる。これには、例えばギザギザ構造又は波形構造が適している。択一的に又は付加的に、反射面は反射を増強する材料で、例えば金属層でコーティングしてもよい。
【００１６】
偏向光学系の有利な実施形態では、光射出面と反射面との間の距離は、偏向光学系に割当てられた半導体光源の間隔の増大ないし光射出面の間隔の増大に伴って小さくなる。これは、技術的に有利には、偏向光学系が半導体光源ないし支持体から離れるにしたがって先細るようにすることによって達成される。偏向光学系のこのような実施により、技術的に簡単に、広範囲にわたって均一な、つまりむらのない偏向光学系の光射出面の照明が可能になり、したがってまた広範囲にわたって均一な照明装置の放射が可能になる。
【００１７】
有利には、偏向光学系の光射出面の主拡がり方向と偏向光学系の反射面の主拡がり方向との間の角度は鋭角である。これは有利には４５°よりも小さく、特に有利には２５°よりも小さい。それゆえ、光射出面に向けた偏向光学系内の光の反射は容易になる。
【００１８】
偏向光学系の放射方向から見ると、偏向光学系の反射面と光射出面は部分的に、有利には完全に、重なり合っている。これにより、広範囲にわたって均一な光射出面の照明が技術的に簡単な方法で実現されうる。
【００１９】
さらに有利な実施形態では、反射面と半導体光源が重なり合う。特に有利には、反射面と半導体光源は完全に重なり合う。このようにして、技術的に比較的容易に、半導体光源によって発生させられた光を実質的に完全に反射面に当てることができる。このことは光射出面の照明の均一性にとって有利である。この照明は、有利には、光射出面に向けた反射によって概ね又は完全に反射面に達する。
【００２０】
光射出面及び／又は反射面は、曲面として実施してもよいし、又は、基本的な外形が、つまり、とりわけ反射器構造を除いた外形が平らであるように実施してもよい。
【００２１】
光射出面を平らに実施した場合には、反射面の基本的な外形も有利には平らに実施される。光射出面を曲面として実施した場合には、反射面も有利には曲面として実施される。光射出面が偏向光学系の外部から見て凸（凹）曲面として実施される場合には、反射面は有利には偏向光学系の外部から見て凹（凸）曲面として実施される。
【００２２】
光射出面の均一な照明、したがってまた照明装置の均一な放射は、光射出面と反射面のさまざまな、とりわけ互いに合った曲率によって、又は反射面と光射出面を平らに実施することによって、容易に達成することができる。
【００２３】
有利な実施形態においては、第１の偏向光学系の光射出面は、とりわけ支持体から見て第２の偏向光学系の光射出面の上方に位置する。これらの偏向光学系は有利には異なる半導体光源に割り当てられている。第２の偏向光学系は、有利には、第１の偏向光学系に割り当てられた半導体光源よりも支持体の縁部に近く配置されている。特に有利には、２つの偏向光学系の光射出面は実質的に整列して互いに隔離されている。照明装置の均一な放射はこのようにして簡潔化される。これら２つの半導体光源は有利にはさまざまな光を発生させるのに適しており、それゆえ、異なる偏向光学系の光射出面からさまざまな光を出力結合することができる。
【００２４】
さらに、支持体から半導体光源に割り当てられた第１の偏向光学系の光射出面までの距離は、有利には、より支持体縁部に近く配置されている別の半導体光源に割り当てられた第２の偏向光学系の光射出面までの距離よりも長い。これら２つの半導体光源は支持体上で有利には並んで、とりわけ半径方向に、配置されている。
【００２５】
光射出面がより支持体の近くに配置されている第２の偏向光学系は、有利には、支持体とは反対側の面が平らに実施されているため、第１の偏向光学系をこの平らな領域の上に載せる、又はこの平らな領域に取り付けることができる。このために、載せるべき又は取り付けるべき偏向光学系の支持体側の面は相応して平らに実施される。
【００２６】
有利には、半導体光源の支持体は従来のプリント回路基板又は基板として実施することができる。例として、ここでは、ＦＲ４支持体、ＦＲ２支持体、メタルコア支持体、及びＣＥＭ１支持体など、ならびにフレキシブル基板が挙げられる。
【００２７】
有利には、制御部は支持体上に配置される。このために、集積回路を有する少なくとも１つの制御チップを標準的な方法で支持体上に取り付けてもよい。
【００２８】
有利には、偏向光学系の光出力結合面の包絡面は光射出方向に関して外に向かって曲がった曲面セグメントを成す。これにより、照明装置の周りを３６０°まで囲む空間の照明が可能になる。
【００２９】
有利には、支持体はトレーの中に配置される。このトレーは、有利には、透明なカバーとともにハウジングを形成する。カバー内では、支持体上に偏向光学系がある。透明カバーは、例えば、青色ライトで使用されるような鐘形ガラス器として実現してよい。
【００３０】
別の有利な実施形態では、照明装置はハウジング内へ取り付けられた後に完全にキャストしてもよいし、又はしっかりと封止してもよい。
【００３１】
有利には、照明装置において、いわゆるマルチＬＥＤのような多色半導体光源、等色又は異色のＬＥＤを使用してもよい。多色又は異色の半導体光源によって、多色照明効果を達成することができる。異なる色又は異なる混合色の光を発生させるために、さまざまな色の単色半導体光源の代わりに、有利には多色半導体光源を使用することができる。多色ＬＥＤは、例えば、複数の半導体チップを有しており、これらの半導体チップのうちの少なくとも２つは異なる色の光を発生させるのに適している。有利には、多色半導体光源は、対でさまざまな色の光を発生させることのできる３つの半導体チップ、例えば、赤、緑、青の原色を発生させる３つの半導体チップを有している。
【００３２】
別の有利な実施形態では、さまざまな色のＬＥＤ光源又はマルチＬＥＤの光は偏向光学系内で混合させることができる。これにより、混合色の光効果の達成が可能に又は容易になる。
【００３３】
別の有利な実施形態では、照明装置は信号ランプとして形成される。半導体光源を相応して制御することにより、点滅又は回転効果のような特別な信号ランプ機能が可能になる。
【００３４】
特に有利な実施形態では、放射される光の回転効果又は点滅効果を得るために、半導体光源を調節可能な周波数で制御することが可能である。これにより本発明は幅広い使用スペクトルを可能にする。本発明は、例えば、救急車両において青色光として使用したり、又は、建設車両やトラックにおいて点滅光として使用することができる。本発明は、動作状態の表示のために、例えば工場や空港で使用されるような電気機械に取り付けてもよい。さらに、このような信号ランプは車両においてもテールランプとして、ウィンカーとして、又は、例えば第３の停止灯のためのＣＨＭＳＬ（ＣＨＳＭＬ：Ｃｅｎｔｅｒ  Ｈｉｇｈ  Ｍｏｕｎｔｅｄ  Ｓｔｏｐ  Ｌｉｇｈｔ）として使用することができる。さまざまな信号の組又は点滅周波数を使用することにより、このような信号ランプは色覚異常を有する人にも、例えば色盲の人にも一意的な信号を提供することができる。また、聴覚障害のある人のために、音響信号の代わりとして、このような信号ランプを使用することも可能である。
【００３５】
本発明の別の有利な実施形態では、１つ又は複数の偏向ライトガイドの光入射領域に１つ又は複数のコリメート光学系が配置される。
【００３６】
特に有利な実施形態では、１つ又は複数のコリメート光学系は１つ又は複数の偏向ライトガイドと一体に形成される。
【００３７】
有利には、光学系は段付きレンズとして実施される。この段付きレンズはさらに、有利には、例えば非球面レンズに合わせて曲がった中央領域を有している。この中央領域は、有利には共焦点を有するように配置された及び／又は環状に実施された１つ又は複数の反射器面で包囲されている。中央領域と反射器面は有利には光学系の光入射面上に形成される。曲がった中央領域と反射器面は、有利には、光学系に入射する光がすでに入射側でコリメートされ、例えば平行ビームに変換されるように、形成され、互いに調整される。したがって、偏向光学系の反射面に当たる光は、先に行われたコリメート光学系によってビーム形成された光が偏向光学系に入射した後、すでに容易に広範囲にわたって一様に分布し、反射面に均一に当たる。
【００３８】
有利には、偏向ライトガイドの反射面により、光射出面全体にわたって一様な光射出が可能になる。
【００３９】
本発明の有利な発展形態では、偏向ライトガイドからの光の一部を入力結合面と向き合う面において出力結合することができる。
【００４０】
本発明の他の特徴、利点、有効性は、以降で図１から５に関連して説明される実施例から明らかとなる。
【実施例】
【００４１】
図１には、反射面２と光出力結合面３と光学系４とを備えた偏向ライトガイド１の有利な実施形態が示されている。反射面は有利には完全に光学系４と重なり合う。ライトガイドの本体１２における光入射領域は、有利には、ライトガイドの本体１２における光入射面１１の光学系と重なり合う領域によって形成される。この実施例では、光１０の主入射方向と光の射出方向との間の角度は、特に偏向ライトガイドを通過した後には、偏向ライトガイドの光入射面１１と法平面と光射出面３の法平面との間の角度に相応して９０°である。別の実施形態では、他の偏向角度が実現されてもよい。特に、１つ又は複数の光射出面を光入射面と向かい合う側の面に配置し、光の一部がライトガイドの偏向を経ずに直線的に通過するようにしてもよい。
【００４２】
反射面２は実質的に２つの機能を果たす。反射面２はライトガイド１内の一様な光分布と、ひいては光射出面での光の均一な出力結合を生じさせることができる。同様に、反射面２は所望の光偏向機能も引き受けることができる。このために、反射面２をさまざまに実施してもよい。反射面の表面の段パターン、溝パターン、及び又はギザギザパターンは、例えば全反射による光の偏向も、特に射出する光束の一様な分布も生じさせることができる。反射面の構造化に代わって、実行可能な表面のメタライゼーション又は反射性コーティングであってもよい。これらの方法は構造化された表面にも適用することができる。
【００４３】
同様に、光射出面３に対する反射面２の傾斜とこれらの面の間隔も、ライトガイド内の所望の光分布と均一な出力結合に寄与する。このために、傾斜角度αは有利には４５°よりも小さく、特に有利には２５°よりも小さく、例えば２０°又はそれ未満である。偏向ライトガイドはさらに、有利には、特に直角三角形タイプの三角形状の基本形状を有しており、場合によっては三角形の頂点が平らであるように実施される。光の偏向方向は反射面の間隔と傾斜とによって変化させることができる。
【００４４】
光学系４は半導体光源７の光の入力結合特性を左右する。光学系４は、偏向ライトガイド１の本体に対して固定してもよい、例えば一体形成又は接着させてもよいし、又は本体から離して実施してもよい。光学系４を実現するためには、反射面２と一緒に所望の偏向効果が得られるかぎり、光学的に動作する素子又はこれらの素子の組合せを使用することができる。例として、光学系はレンズ、回折光学系、散乱レンズ、プリズムレンズ、又はこれらの組合せのような素子を含んでいてよい。有利な実施形態では、光学系４は、平行な光をライトガイドに入力結合するコリメート光学系としてよい。
【００４５】
図２Aから２Cは、偏向ライトガイド１の有利な実施形態のさまざまな透視図を示している。偏向ライトガイド１の下面には光学系４が配置されている。光学系４は有利には回転対称な段付きレンズとして実施されており、この段付きレンズは、光入射側が非球面の、特に外側から見て凸に曲がった中央領域４０と、この中央領域を囲む複数の有利には共焦点となるように配置された又は円錐台表面として形成された環状の反射器面４１とを有している。これらの素子は偏向ライトガイドの本体１２における光入射面１１とは反対側にある（図２Ｃの光学系４参照）。段付きレンズは半導体光源により形成された光ビームを偏向ライトガイドに入射する前に平行ビームにするのに特に適している。この特別な実施形態では、反射面２は、特に全反射のための、ギザギザ構造又は波形構造を備えており、この構造が光学系４に入力結合した光を光射出面３へ反射させる。上に向かって先細る偏向ライトガイドの形状は、反射面２の構造と相俟って、実質的に出力結合面３の全体にわたって一様な光出力結合を可能にする。光学系４は、この実施例では、偏向ライトガイドと一体形成された、例えば偏向ライトガイドと一緒に射出成型などでキャストされたコリメート光学系である。
【００４６】
図３には、照明装置の本発明による実施形態のベース５が示されている。ここで、複数の半導体光源７は、支持体６に配置された、特に支持体６に取り付けられた、有利には、単色、異色、又は多色のＳＭＤ−ＬＥＤ素子である。さらに、この支持体上には、少なくとも１つの集積回路がＬＥＤの制御８として配置されている。この実施例では、８つの半導体光源は円形に配置されている。有利には、支持体は上面図では円形に形成されている。別の実施例では、別の配置又は別の個数の半導体光源を使用してもよい。半導体光源の制御部８はこの実施例では４つの集積回路によって解決されている。別の実施例では、支持体６上で別の個数の集積回路を使用してもよい。制御部８は半導体素子の制御に使用されるが、他の実施例では、さらに付加的な機能、例えば、光源のパルス幅変調制御による光の減光（ＰＷＭ：パルス幅変調）を果たすようにしてもよい。
【００４７】
図４には、照明装置の本発明による実施形態の基本構造が概略的に示されている。ベース５上では、支持体６の上に複数の半導体光源７が配置されている。ベース５の上方には、偏向ライトガイドの可能な配置が透視画法で示されている。偏向ライトガイド１とベース５の協働によって、ベース５の法平面に関して、例えばこの法平面に対してアジマス方向に、照明装置の周り３６０°までの光の放射が可能になる。この実施形態では、８つの半導体光源が８つの偏向ライトガイドとともに使用される。しかし、別の実施形態では、異なる個数の半導体光源及び又は偏向ライトガイドの使用も可能である。また、より多い又はより少ない半導体光源を使用してもよい。同様に、半導体の個数を偏向ライトガイドの個数と相関させることなく、より多い又はより少ない偏向ライトガイドを設けてもよい。特に、複数の光源を偏向ライトガイドとして使用する実施形態も考えられる。この場合、例えば、さまざまな半導体光源の光を、より少ないライトガイド内で、特に共通のライトガイド内で、異なる色の放射と混合し、放出することができる。
【００４８】
図５Ａは、光出力結合面１３と反射面１２とを備えた複数のライトガイド１０の別の実施形態のための配置を図５Ｂの領域ごとの部分断面図に基づいて概略的に示している。ここでは、共通の支持体１６の上に、有利には割り当てられた光学系１９とともに複数の半導体光源が、並んで支持体１６の中央領域１６０から放射状に配置されている。光学系１９を備えたこれらの光源には、それぞれ１つの別個のライトガイドが割り当てられている。この実施形態では、異なる偏向ライトガイドの光出力結合面１３が重なり合って配置されており、個々の偏向ライトガイドは互いにオーバーラップし、重ね合わせ配置又は固定に適して平らである。異なる偏向ライトガイドの光出力結合面１３は有利には互いに並んで終端する。さらに、異なる光源の光はそれぞれ割り当てられた偏向ライトガイド内へ別々に入力結合する。これにより、この実施例では、特に同時に、多色の信号が照明装置によって実現される。光学系１９は場合によってはそれぞれのライトガイドに固定してもよいし又はライトガイドと一体形成してもよい。さらに、反射面はそれぞれ外側から見ると凹曲面として実施されており、光射出面１３は凸曲面として実施されている。
【００４９】
有利な発展形態は、光学系が半導体光源に固定的に結合しており、これにより偏向ライトガイドの光入射面の付加的な光学系が不要になることにある。この実施例においても、支持体１６上に付加的な制御素子を配置してよい。その場合、さまざまな色の半導体光源の使用することにより、例えば、３つの重なり合った光出力結合面１３による交通信号機のような信号効果を得ることができる。
【００５０】
それぞれの偏向ライトガイドの光射出面に対する反射面の傾斜角度は、有利には４５°よりも小さく、特に有利には２５°よりも小さく、例えば２０°又はそれ未満である。さらに、重なり合う光射出面を有するさまざまな偏向ライトガイドの傾斜角度は有利には同じである。
【００５１】
図５Ｂは、実施例５Ａによる照明装置の全体を透視画法で示している。この図では、図５Ａに概略的に示されているような８つの偏向ライトガイド装置が、ベース１５の上に円形に配置されている。放射角度領域では、それぞれ３つの光出力結合面１３が重なり合っている。別の実施形態では、さまざまな信号状態及びさまざまな色の信号状態を得ることができるように、より少ない光出力結合面を重ねて配置してもよいし、より多くの光出力結合面を重ねて配置してもよい。
【００５２】
本特許出願は２００４年１２月３０日のドイツ特許出願ＤＥ  １０  ２００４  ０６３５  ７４．９号の優先権を主張するものであり、前記ドイツ特許出願の全開示内容は本特許出願において明示的に参照される。
【００５３】
本発明は実施例に基づいた記述に限定されない。むしろ、それぞれの新たな特徴及び特徴のそれぞれの組合せも本発明の範囲に含まれる。とりわけ、特許請求の範囲に含まれている特徴のそれぞれの組合せは、これらの特徴又はこれらの組合せ自体が特許請求の範囲又は実施例に明示的に示されていない場合でも、本発明の範囲に含まれる。
【図面の簡単な説明】
【００５４】
【図１】偏向ライトガイドの概略的な断面図を示す。
【図２】偏向ライトガイドの透視図を示す。
【図３】本発明による照明装置の実施例を示す。
【図４】照明装置のベースユニットとそれに割り当てられる偏向ライトガイドを透視図で示す。
【図５】複数の偏向ライトガイドを有する可能な別のベースユニット（図５Ａ）と、ベース上に複数のライトガイドを有する照明装置の実施例（図５Ｂ）を示す。
【図１】
2006190684.tif 000003
【図２】
2006190684.tif 000004
【図３】
2006190684.tif 000005
【図４】
2006190684.tif 000006
【図５】
2006190684.tif 000007